(57)【要約】      （修正有）【課題】ホログラム記録媒体の変形等によるこのホログラム記録媒体上の記録情報の読み出しの再生の阻害、Ｓ／Ｎの低下等を改善する。【解決手段】ホログラム記録において、１次元光変調器１４の２個以上の一部の光変調画素を除く光変調画素によって第１のレーザ光Ｌ１  を、デジタルデータ信号に基いて光変調すると共に、２個以上の一部の光変調画素によってシンク信号に基いて光変調して信号光を得て、この信号光と、第２のレーザ光Ｌ２  による参照光とを、ホログラム記録媒体１に照射して、ホログラム記録媒体１に、デジタルデータ信号による記録部とシンク信号による記録部とを形成する。再生は、参照光をホログラム記録媒体１に照射して、ホログラム記録媒体１上のデジタルデータ信号と共にシンク信号と読み出し、シンク信号を位置検出信号として用いてホログラム記録媒体の変形等によるデジタルデータ信号の位置ずれの補償を行って、再生特性の低下を回避する。【選択図】        図１
2004219672.tif 000002
【特許請求の範囲】
【請求項１】
複数の光変調画素が配列された１次元光変調器によって、レーザ光を変調して、ホログラム記録媒体にディジタルデータ信号を記録すると共に、上記光変調画素の一部によって、所定の間隔を保持して２箇所以上にシンク信号を記録することを特徴とするホログラム記録方法。
【請求項２】
ディジタルデータの記録部と、所定の間隔をもって２箇所以上に形成されたシンク信号の記録部と有するホログラム記録媒体に、参照光を照射して、上記ディジタルデータと上記シンク信号とを読み出し、該シンク信号によって、上記ディジタルデータ信号の位置ずれを検出することを特徴とするホログラム記録の再生方法。
【請求項３】
ホログラム記録、あるいはホログラム記録と再生とを行うホログラム記録再生装置であって、
レーザ光源と、
該レーザ光源からのレーザ光を、第１のレーザ光と、第２のレーザ光とに分割する分割手段と、
複数の光変調画素が配列された１次元光変調器と、
ホログラム記録媒体の配置部とを有し、
上記複数の光変調画素が配列された１次元光変調器によって、レーザ光を、ディジタルデータ信号による光変調と、上記光変調画素の一部による２箇所以上の光変調画素によってシンク信号による光変調とを行ってレーザ光による信号光を得、
該信号光と、レーザ光による参照光とを、ホログラム記録媒体に照射して、該ホログラム記録媒体に、上記ディジタルデータ信号による記録部と、所定の間隔を有する２箇所以上のシンク信号による記録部とを形成することを特徴とするホログラム記録再生装置。
【請求項４】
請求項３に記載のホログラム記録再生装置において、
上記１次元光変調器の上記光変調画素の数より多い光検出素子を有する少なくとも１次元光ディテクタが設けられ、
上記ディジタルデータ信号による記録部と２箇所以上のシンク信号による記録部とを有するホログラム記録媒体に、上記参照光を照射して、該ホログラム記録媒体から得た再生光を、上記１次元光ディテクタの上記光検出素子によって受光し、上記ディジタルデータ信号と、上記シンク信号とを検出して、該シンク信号によって、上記ディジタルデータ信号の位置ずれを検出することを特徴とするホログラム記録再生装置。
【請求項５】
上記１次元光変調器は、複数の反射リボンが配列され、該反射リボンの変位によって該反射リボンに到来するレーザ光を位相変調する回折格子構造による光変調器によることを特徴とする請求項３または４に記載のホログラム記録再生装置。
【請求項６】
レーザ光源と、
ホログラム記録媒体の配置部と、
複数の光検出素子が配列されて成る１次元光ディテクタとを有し、
上記ホログラム記録媒体は、ディジタルデータ信号の記録部と、２箇所以上のシンク信号の記録部とを有し、
上記ホログラム記録媒体に、上記レーザ光源からのレーザ光による参照光を照射して、
上記ディジタルデータ信号と、上記シンク信号との再生光を、上記１次元光ディテクタによって検出し、上記シンク信号によって上記ディジタルデータ信号の位置ずれを検出することを特徴とするホログラム再生装置。
【発明の詳細な説明】
【０００１】
【発明の属する技術分野】
本発明は、ホログラム記録方法、ホログラム記録の再生方法、ホログラム記録再生装置、およびホログラム再生装置に係わる。
【０００２】
【従来の技術】
ホログラム記録の基本的構成は、レーザ光源からのレーザ光を２つの光路に分割し、一方の分割レーザ光を記録情報に応じて光変調器によって変調して信号光とし、他方の分割レーザ光を参照光として、それぞれホログラム記録媒体で重ね合わせ、両レーザ光の干渉によってホログラム記録媒体に、屈折率変化による干渉縞を形成することによって情報を記録するものである。
そして、このホログラム記録からの情報の再生は、信号光をカットして参照光のみをホログラム記録時と同じ位置および入射角をもってホログラム記録媒体に照射することによって、記録媒体に形成された干渉縞によって元の信号光に対応する回折光による再生光を得ることができ、これをＣＣＤ（Ｃｈａｒｇｅ  Ｃｏｕｐｌｅｄ  Ｄｅｖｉｃｅ）  等によるセンサによって検出するものである（例えば非特許文献１あるいは非特許文献２参照）。
【０００３】
このようなホログラム記録は、例えば１０８８個という複数の光変調画素が１次元的に配列された１次元光変調器、例えばＧＬＶ（Ｇｒａｔｉｎｇ  Ｌｉｇｈｔ  Ｖａｌｖｅ）  （例えば非特許文献３参照。）を用い、これによって、レーザ光を各光変調画素の、“１”，“０”による情報によって光変調した明暗（白黒）像による信号光を得て、この信号光を参照光と共にホログラム記録媒体に照射してホログラム記録を行う。この場合、その再生においては、適切な位置に適切な大きさの光検出素子が、光変調器の光変調画素に対応して配置された複数の光検出部を有する１次元光ディテクタによって、ホログラム記録媒体からの再生光の検出がなされる。
しかしながら、この場合、ホログラム記録媒体の位置や、角度が、記録時と再生時とでずれを生じた場合、再生像の再生位置がずれることから、或る場合は、目的とする再生が、全く行うことができなくなる場合がある。
【０００４】
図１１は、複数の光変調画素すなわち変調ピクセルＰ１  ，Ｐ２  ，Ｐ３  ・・・Ｐｎ  を有する１次元光変調器１０１と、１次元光ディテクタ１０２との配置関係を模式的に示したもので、この場合、１次元光ディテクタ１０２の各検出素子Ｄ１  ，Ｄ２  ，Ｄ３  ・・・Ｄｎは、１次元光変調器１０１の光変調画素数と、１次元光ディテクタ１０２の検出素子とは、同数に、例えばｎ＝１０８８に選定された状態を示している。
ところが、このような構成による場合、例えば光変調器１によって変調された信号“１”“０”が、光のオン、オフとして与えられるディジタルデータである場合、例えば１次元光変調器１０１による変調が、光変調画素Ｐ１  ，Ｐ２  ，Ｐ３  ・・・Ｐｎ  において１つ置きに例えば、信号“１”で、他の１つ置きに例えば、信号“０”の情報が与えられる場合等において、１次元光変調器１０１の光変調画素Ｐ（Ｐ１  ，Ｐ２  ，Ｐ３  ・・・Ｐｎ  ）と、１次元光ディテクタ１０２の検出素子（Ｄ１  ，Ｄ２  ，Ｄ３  ・・・Ｄｎ）とが、例えば半個分づつずれて、“１”と“０”が半分１つ検出素子に入ることから、全く明暗（白黒）像が得られず例えば単一灰色となり、情報の検出がなされないことになる。
【０００５】
そして、このようなずれの発生は、特別のことではない。すなわち、ホログラム記録媒体は、ディスクや、カードの形態を採ることが多く、また、頻繁に記録再生が繰り返えされることから、ホログラム記録装置、あるいは再生装置等へのホログラム記録媒体の装着に際して位置ずれや、角度のずれは、極めて発生し易い。
また、ホログラム記録媒体は、有機材料によって構成されることが多く、その記録、あるいは記録後の紫外線照射や、熱処理を必要とする場合が多いが、この場合、数％収縮が発生するものが多く、再生位置に、前述したような、単純なずれが発生するだけでなく、１次元光変調器１０１の光変調画素Ｐと、１次元光ディテクタの検出素子Ｄとの１対１の対応がくずれてしまう。そして、このような現象によっても、再生が困難になるとか、Ｓ／Ｎの低下を来す。
【０００６】
【非特許文献１】
Ｈ．Ｊ．Ｃｏｕｆａｌ，Ｄ．Ｐｓａｌｔｉｓ，Ｇ．Ｔ．Ｓｉｎｃｅｒｂｏｘ著、Ｓｐｒｉｎｇｅｒ  Ｓｅｒｉｅｓ  Ｖｅｒｌａｇ  ，Ｊｕｌｙ  ２０００，Ｏｐｔｉｃａｌ  Ｓｃｉｅｎｃｅ，Ｈｏｌｏｇｒａｐｈｉｃｓ  Ｄａｔａ  Ｓｔｏｒａｇｅ  ｐ３５０
【非特許文献２】
Ｏｐｔｉｃａｌ  Ｄａｔａ  Ｓｔｏｒａｇｅ  ２００１，Ｐｒｏｃｅｅｄｉｎｇｓ  ｏｆ  ＳＰＩＥ  Ｖｏｌ．４３４２（２００２）ｐ５６７
【非特許文献３】
Ｇｒａｔｉｎｇ  Ｖａｌｖｅ  Ｔｅｃｈｎｏｌｏｇｙ：Ｕｐｄａｔｅ  ａｎｄ  Ｎｏｖｅｌ  Ａｐｐｌｉｃａｔｉｏｎｓ
【０００７】
【発明が解決しようとする課題】
本発明は、上述したような、１次元光変調器が用いられる、ホログラム記録方法、ホログラム記録の再生方法、ホログラム記録再生装置、およびホログラム記録の再生装置において、上述したホログラム記録の再生の阻害、Ｓ／Ｎの低下等を効果的に回避することができるようにするものである。
【０００８】
【課題を解決するための手段】
本発明によるホログラム記録方法は、複数の光変調画素が配列された１次元光変調器によって、レーザ光を変調して、ホログラム記録媒体にディジタルデータ信号を記録すると共に、光変調画素の一部によって、所定の間隔を保持して２箇所以上にシンク信号を記録する。
【０００９】
また、本発明によるホログラム再生方法は、ディジタルデータの記録部と、所定の間隔をもって２箇所以上に形成されたシンク信号の記録部と有するホログラム記録媒体に、参照光を照射して、ディジタルデータとシンク信号とを読み出し、シンク信号によって、ディジタルデータ信号の位置のずれを検出する。
【００１０】
また、本発明によるホログラム記録再生装置は、ホログラム記録、あるいはホログラム記録と再生とを行うホログラム記録再生装置であって、レーザ光源と、このレーザ光源からのレーザ光を、第１のレーザ光と、第２のレーザ光とに分割する分割手段と、複数の光変調画素を有する１次元光変調器と、ホログラム記録媒体の配置部とを有して成る。
そして、ホログラム記録において、レーザ光を、１次元光変調器によって、ディジタルデータ信号による光変調と、所定の間隔を保持する２箇所以上の光変調画素の一部の画素によるシンク信号の光変調とを行い、このレーザ光による信号光と、レーザ光による参照光とを、ホログラム記録媒体に照射して、このホログラム記録媒体に、ディジタルデータ信号による記録部と、所定の間隔を有する２箇所以上のシンク信号による記録部とを形成する。
【００１１】
また、本発明においては、上述したホログラム記録再生装置において、１次元光変調器の光変調画素の数より多い光検出素子を有する少なくとも１次元光ディテクタが設ける。
そして、ホログラム記録媒体に、参照光を照射して、ディジタルデータ信号による記録部と上述した２箇所以上のシンク信号による記録部とを再生し、シンク信号によって、ディジタルデータ信号の位置のずれを検出する。
【００１２】
本発明における１次元光変調器としては、複数の反射リボンが配列され、反射リボンの変位によって該反射リボンに到来するレーザ光を位相変調する回折格子構造による光変調器によって構成することが望まれるものである。
【００１３】
上述したように、本発明においては、ホログラム記録媒体に、ディジタルデータ信号すなわち本来の記録情報信号の記録のみならず、シンク信号を記録するものであり、再生にあたっては、この本来の情報信号と共に、シンク信号を検出することによってこのシンク信号によって、本来の情報信号の位置のずれを検出することができるようにするものである。
このように、位置検出を行うことができることによって、ホログラム記録媒体の繰り返えし使用による、ホログラム記録装置、あるいは再生装置等における位置ずれ、角度のずれ、更には、ホログラム記録媒体の収縮等による記録信号の位置ずれを補正することができる。
【００１４】
【発明の実施の形態】
本発明の実施の形態例を説明する。
先ず、本発明によるホログラム記録、あるいはホログラム記録と再生とを行うホログラム記録再生装置の１実施の形態を、図１の概略構成図を参照して説明する。しかしながら、本発明は、この例に限定されるものではない。
【００１５】
〔ホログラム記録再生装置〕
図１で示す例においては、ホログラム記録媒体１が、光透過型のホログラム記録媒体が用いられた場合である。
そして、この例においては、ホログラム記録装置部２と、ホログラム再生装置部３とを有する。
ホログラム記録装置部２は、レーザ光源１０と、ビームエキスパンダ１１と、ビーム分割手段としてのハーフミラー１２と、シリンドリカルレンズ１３と、１次元光変調器１４と、第１のレンズ系２１と、この第１のレンズ系２１の焦点近傍に配置されたピンホール１５Ｈ  を有する遮蔽体１５と、第２のレンズ系２２と、ホログラム記録媒体１の配置部と、第３のレンズ系２３とを有して成る。
ホログラム再生装置部３は、第４のレンズ系２４と、１次元光ディテクタ１６とを有して成る。
【００１６】
この装置によって、ホログラム記録媒体１に対する記録は、レーザ光源１０からのレーザ光Ｌを、ビームエキスパンダ１１によってそのビーム径を、図１において、紙面と直交するＹ方向に拡大して、ハーフミラー１２に導入し、これによって、それぞれＹ方向と直交し、互いに直交するＺ方向と、Ｘ方向とに光路を採る第１のレーザ光Ｌ１  と第２のレーザ光Ｌ２  とに分割する。
第１のレーザ光Ｌ１  は、シリンドリカルレンズ１３によってＸ方向に集光し、１次元光変調器１４に導入される。
第１のレーザ光Ｌ１  は、ここにおいて、光変調され、信号光とされて第１のレンズ２１によって集光され、ピンホール１５Ｈ  を通過する。
そして、第２のレンズ系２２によってレーザ光Ｌ１  すなわち信号光を、ホログラム記録媒体１に集光させる。
【００１７】
一方、ハーフミラー１２によってＸ方向に分割された第２のレーザ光Ｌ２  は、参照光として第３のレンズ系２３によってホログラム記録媒体１に集光される。このようにして、ホログラム記録媒体１に、第１のレーザ光（信号光）と第２のレーザ光（参照光）との干渉によるホログラム記録がなされる。
【００１８】
また、ホログラム再生装置部３は、例えばホログラム記録部２の構成を一部共通に用いて構成することができる。しかしながら、この場合、再生動作においては、第１のレーザＬ１  に関しては、これをカットする。
そして、この場合のホログラム再生装置部３は、参照光の第２のレーザ光Ｌ２  に係わる光学系のレーザ光源１０、ビームエキスパンダ１１とハーフミラー１２と、第３のレンズ系２３と、更に、ホログラム記録媒体１の後方に配置された、第４のレンズ系２４と、１次元光ディテクタ１６とによって構成することできる。
そして、ホログラム記録媒体１に参照光を、記録時におけると同様の入射状態をもって照射することによって、ホログラム記録媒体１から、恰も信号光Ｌ１  の透過光のように、ホログラム記録媒体１から再生光Ｌｓを取り出すことができる。
上述した第４のレンズ系２４は、この再生光Ｌｓの光路上において、この再生光Ｌｓの拡散位置に配置され、この再生光Ｌｓが１次元光ディテクタ１６に集光するようになされる。この場合、この１次元光ディテクタ１６における再生光Ｌｓにおける光学像は、１次元光変調器１４で得た明暗像に対応する明暗像として得られる。
【００１９】
ホログラム記録装置部３を構成する１次元光変調器１４は、変調効率が高く応答性の速い反射型の回折制御格子による例えば静電駆動型構成による１次元ＧＬＶ（Ｇｒａｔｉｎｇ  Ｌｉｇｈｔ  Ｖａｌｖｅ）  アレイを用いることが望ましい。
このＧＬＶは、図２に示すように、それぞれ１光変調画素を構成する回折格子構造によるピクセル３０が、１ライン上に多数個、例えば１０８８個配列されて成る。
【００２０】
各ピクセル３０は、図３に斜視図を示し、図４に断面図を示すように、例えばシリコン基板より成る基板３１上に、両端が支持された例えば６本のレーザ光Ｌ１  を反射するリボン３２が、平行配列されて回折格子を構成している。
これらリボン３２は、図５Ａに横断面図を示すように、両端の支持部によって、その中央部が、基板３１の面から所要の距離を保持して、一平面に配列されて成る。
これらリボン３２は、図４に示すように、例えば窒化シリコンより成る絶縁膜３３上に、反射面を構成する金属膜より成る電極層３４が形成されて成る。
一方、リボン３２の配列部下に差し渡って、基板４１上に、各リボン３２の電極層３４に対向して共通の対向電極３５が、リボン３２との間に所要の間隙を保持すように形成されて成る。
【００２１】
この構成において、１つ置きのリボン３２の電極層３４と、対向電極３５との間に、所要の電圧を印加することによって、図５Ｂに示すように、これら１つ置きのリボン３２を、対向電極３５側に、このＧＬＶに照射されるレーザ光Ｌ１  の波長をλとすとき、λ／４に相当する量をもって変位させる。
このようにすることによって、各光変調画素を構成する１ラインのピクセル３０に、上述したレーザ光Ｌ１  を照射するとき、図５Ａに示すように、１光変調画素に相当する６本のリボン３２が同一平面にある状態では、この光変調画素におけるピクセル３０は、回折格子として動作されることなく、これに到来したレーザ光Ｌ１  は、この光変調画素に関して、単に反射され、この光変調画素（ピクセル）に関しては例えば“１”の“明”信号光としてホログラム記録媒体１に“１”の情報の記録がなされる。
【００２２】
これに対し、図５Ｂの１つ置きのリボン３２の電極層３４と、対向電極３５との間に例えば“０”の信号として所要の電圧を印加することによって、λ／４の変位を生じさせた状態では、隣り合うリボン３２で反射するレーザ光が、相互の干渉し、実質的に反射光が生じることなく、これによってこのピクセルすなわち光変調画素に関しては、実質的にレーザ光が消失し、例えば“０”の“暗”の信号に変調され、このときホログラム記録媒体１において、例えば“０”の情報の記録がなされる。
【００２３】
このように、１次元光変調器１４として回折格子構造による１次元光変調器１４を用いる場合、回折光の±１次光、±２次光以上の高次光が発生するが、それらは、上述した遮蔽体１５によって遮蔽する。
【００２４】
上述した各ピクセルすなわち光変調画素３０の、リボン３２の幅は、例えば幅３μｍ、長さ１００μｍ、厚さ１００ｎｍに選定することができ、また、リボン３２と対向電極３５との間の間隔は、例えば６５０ｎｍに選定される。また、ピクセル３０のピッチは、２５μｍとすることができる。
【００２５】
また、１次元光ディテクタ２は、複数の光検出素子が配列された構成を有する１次元光ディテクタによって構成される。この１次元光ディテクタは、例えばＣＣＤ（Ｃｈａｒｇｅ  Ｃｏｕｐｌｅｄ  Ｄｅｖｉｃｅ）によって構成することができ、その受光部が１次元に配列された構成とすることができる。この光検出素子の数すなわちアレイ数は、１次元光変調器１の画素数より大に選定する。
すなわち、図６に、１次元光変調器１４の各光変調画素すなわちピクセルＰがｎ個すなわちＰ１  ，Ｐ２  ，Ｐ３  ・・・Ｐｎ  配列される場合、１次元光ディテクタ１６の各光検出素子例えばＣＣＤにおいてはその受光部Ｄ１  ，Ｄ２  ，Ｄ３  ・・・ＤＮ  の数Ｎを、ｎ＜Ｎとする。
また、この１次元光変調器は、例えば２次元光変調器の一部によって構成することもできる。
【００２６】
そして、この１次元光ディテクタ１６上の光学像は、１次元光変調器１４における光学像と一致した光学像となるように、光学系例えば第１〜第４の光学系２１〜２４を選定することができる。
【００２７】
〔ホログラム再生装置〕
本発明によるホログラム再生装置の実施の形態例を、図７に示す。このホログラム再生装置は、図１で説明した、ホログラム記録再生装置におけるホログラム再生装置部４による構成とした場合である。図７において、図１に対応する部分には同一符号を付して重複説明を省略する。
【００２８】
〔ホログラム記録方法〕
次に、本発明による記録方法の実施の形態例を説明する。この例では、図１に示した本発明によるホログラム記録再生装置を用いてホログラム記録を行った場合を例示する。
このホログラム記録方法においては、上述した複数の光変調画素Ｐを有する１次元光変調器１４において、全画素Ｐのうち、所定の間隔を保持して離間する２箇所以上の、光変調画素を、シンク信号用の光変調画素として用いて、レーザ光Ｌ１  を光変調してシンク信号による光変調を行う。そして、他の大部分の画素Ｐを本来の記録情報のディジタルデータ信号に基いて、この１次元光変調器１４に到来するレーザ光Ｌ１  を光変調する。
このシンク信号の変調は、ディジタルデータ信号における変調方式において用いられない、パターンによって行う。例えば８−１０変調方式による場合には、“１”あるいは“０”は、１Ｔから４Ｔまでは連続するが、５Ｔ以上は連続しない。そこで、この変調方式によるときは、例えば６Ｔの“１”をシンク信号とする。
【００２９】
〔ホログラム再生方法〕
ホログラム再生方法の実施の形態例を説明する。この例においては、例えば図１に示したホログラム記録再生装置によって、その第１のレーザ光Ｌ１  をカットして、第２のレーザＬ２  による参照光のみを、ホログラム記録媒体１に照射するか、あるいは図７のホログラム再生装置によってホログラム記録媒体１に第２のレーザＬ２  をホログラム記録媒体に、記録時におけると同一の位置および入射角度等をもって照射する。このようにすると、信号光Ｌ１  に相当する再生光Ｌｓが得られる。つまり、１次元光変調器１４によって得た明暗像に対応する明暗像を１次元光ディテクタ１６上に得ることができる。したがって、この１次元光ディテクタにおいて、ディジタルデータ信号と、シンク信号とを検出することができる。
そして、このシンク信号は、所定の間隔を保持して２箇所配置されていることから、これらシンク信号を位置検出信号として、ディジタルデータの位置のずれを補正することによって、１次元光ディテクタ１６から導出した各ディジタルデータを、正確に検出することができる。
【００３０】
次に、本発明の記録および再生の実施例を例示する。
〔実施例〕
この場合、図１に概略構成を示したホログラム記録再生を用いて前述した手順によって記録再生を行った。この場合、ディジタルデータ信号の変調方式を８−１０変調方式とした。この場合、その“１”および“０”の信号のパターンは、４Ｔまでは連続するが、５Ｔ以上は連続しない。そこで、シンク信号のパターンを６Ｔの“１”とした。
このシンク信号パターンは、１次元光変調器１４の光変調画素配列の両端にそれぞれ、すなわち対のシンク信号を配置した。
また、この実施例においては、上述したように、１次元光変調器１４における記録時の像と、再生時の１次元光ディテクタ１６の受光像が１：１として一致する光学系を用いた場合である。
【００３１】
１次元光変調器１４は、前述したＧＬＶを用い、１次元光ディテクタ１６は、ＣＣＤアレイとした。
ＧＬＶは、その変調画素すなわちピクセルＰは、ピッチ２５μｍをもって１０８８個配置した構成とし、１次元光ディテクタ１６の光検出素子すなわち受光部Ｄのピッチは、７μｍとした。したがって、この場合、１つのピクセルＰに対して、２５／７＝３．６個となる。この場合、その対応が、整数比とはなっていないが、本発明方法においては、所定の間隔にシンク信号を配置し、これらの相対的位置をもって、ディジタルデータ信号部の位置を検出するものであるので、何ら問題とはならない。
【００３２】
そして、この実施例における１次元光変調器１４における記録時の像と、再生時の１次元光ディテクタ１６の受光像を、図８に模式的に示す。
この場合、両端にシンク信号として上述した６Ｔの“１”を配置するようにした場合である。すなわち、この場合、その一端から第１番目〜第６番目のピクセルＰ１  〜Ｐ６  、また他端のＰｎ  〜Ｐｎ−５  を、それぞれシンク信号の配置部とした。
これにより、ホログラム記録媒体に記録された情報を再生する。つまり、これら対のシンク信号部の検出によって、その間隔を判知することができる。そして、この情報に基づいて、冒頭に述べた記録および再生におけるホログラム記録再生装置のホログラム配置部へのホログラム記録媒体１の配置にあたり、位置ずれ、角度ずれが生じたり、ホログラム記録媒体自体に収縮等が発生した場合の情報信号すなわちディジタルデータ信号のずれを補正する補正信号を得ることができるものである。
【００３３】
ところで、ホログラム再生において、例えば“明”の“１”と、“暗”の“０”との境界に相当する位置に対応するＣＣＤの受光部（光検出素子）Ｄでは、明暗が混合したいわば灰色部が生じる。図９は、ＣＣＤアレイにおける例えばＮｏ．０〜Ｎｏ．６０における６０個のＣＣＤ受光部の配列（横軸）に対し、縦軸に、これらで受光した光強度を示したもので、この場合、その“白”の“１”と、“黒”の“０”との境界に相当する位置に、“１”と“０”との中間の“灰色”強度が検出される場合がある。
【００３４】
しかしながら、ＣＣＤにおいては、通常２８  の階調を検出することができることから、この境界位置における光強度を正確に検出することができ、この出力に基いて、信号処理を行うことによって、光強度“１”，“０”の中間の０．５を振り分け位置として、図１０に示すように、信号処理によって“１”，“０”のデジタルの２値とすることができる。
したがって、上述した実施例においても、その例えばピクセルＰ６とＰ７との境界等において、これに対応する１次元光ディテクタ１６における検出素子Ｄにおいて、上述した灰色検出を、２値に振り分けることができるものである。
【００３５】
尚、本発明は上述した実施例においては、８−１０変調方式について例示した場合であるが、他の各種変調方式に適用することができるものであり、これら他の変調方式においても、この変調方式に用いられないパターンでのシンク信号を作成する。そして、このシンク信号の位置も、上述した例におけるように、１次元光変調器１４の、両端に配置すると共に、あるいは両端に配置することなく、所定の間隔を保持した位置に配置する構成を採ることもできる。
また、上述した例では、１次元光変調器１４として、レーザ光に対する応答性にすぐれ、変調効率の高いＧＬＶを用いた場合であるが、ＤＭＤ（Ｄｉｇｉｔａｌ  Ｍｉｃｒｏｍｉｒｒｏｒ  Ｄｅｖｉｃｅ）  、液晶等を用いることができるなど、上述した実施例、実施形態等に限定されることなく、本発明構成において、種々の変形変更を行うことができる。
【００３６】
【発明の効果】
上述したように、本発明においては、ホログラム記録媒体に、本来の記録情報信号のディジタルデータ信号と共に、シンク信号を記録するものであり、再生に当たっては、この本来の情報信号と共に、シンク信号を検出することによってこのシンク信号によって、情報信号すなわちディジタルデータ信号の位置を検出することができるようにするものである。
このように、位置検出を行うことができることによって、ホログラム記録媒体の繰り返えし使用による、ホログラム記録装置、あるいは再生装置等における位置ずれ、角度のずれ、更には、ホログラム記録媒体の収縮等による記録信号の位置ずれを補正することができる。
【００３７】
また、ホログラム記録媒体が、有機材料によって構成された場合においても、その記録、あるいは記録後の紫外線照射や、熱処理において、収縮が発生した場合においても、確実に、ディジタルデータの検出を行うことができることから、
１次元光変調器１の光変調画素Ｐと、対応するディテクタの検出素子Ｄとの対応関係がくずれることによる再生の困難、Ｓ／Ｎの低下を回避できるものである。
【図面の簡単な説明】
【図１】本発明によるホログラム記録再生装置の一例の概略構成図である。
【図２】本発明装置の１次元光変調器の一例の概略平面図である。
【図３】本発明装置の１次元光変調器の一例の一画素（ピクセル）の斜視図である。
【図４】本発明装置の１次元光変調器の一例の一画素（ピクセル）の断面図である。
【図５】ＡおよびＢは、１次元光変調器の一例の各動作状態における断面図である。
【図６】本発明装置の一例の１次元光変調器の各画素（ピクセル）と、１次元光ディテクタの各検出素子との関係を示す図である。
【図７】本発明によるホログラム再生装置の一例の概略構成図である。
【図８】本発明によるホログラム記録および再生方法の一例の１次元光変調器による変調と、１次元光ディテクタの受光強度の対応関係の説明図である。
【図９】１次元光ディテクタのＣＣＤの光検出素子（ピクセル）における受光強度を示した図である。
【図１０】図９の１次元光ディテクタのＣＣＤの光検出素子（ピクセル）による受光強度をディジタル化してディジタル値“１”“０”したときの関係を示す図である。
【図１１】従来のホログラム記録再生装置における１次元光変調器と１次元光ディテクタとの関係を示す図である。
【符号の説明】
１・・・ホログラム記録媒体、２・・・ホログラム記録装置部、３・・・ホログラム再生装置部、１０・・・レーザ光源、１１・・・ビームエキスパンダ、１２・・・ハーフミラー、１３・・・シリンドリカルレンズ、１４・・・１次元光変調器、１５・・・遮蔽体、１５Ｈ  ・・・ピンホール、１６・・・１次元光ディテクタ、２１，２２，２３，２４・・・第１，第２，第３，第４のレンズ系、１０１・・・１次元光変調器、１０２・・・１次元光ディテクタ、Ｌ・・・レーザ光、Ｌ１  ・・・第１のレーザ光（信号光）、Ｌ２  ・・・第２のレーザ光（参照光）、Ｌｓ・・・再生光、Ｐ（Ｐ１  ，Ｐ２  ，Ｐ３  ・・・Ｐｎ  ）・・・光変調画素、Ｄ（Ｄ１  ，Ｄ２  ，Ｄ３  ，・・・ＤＮ  ）
【図１】
2004219672.tif 000003
【図２】
2004219672.tif 000004
【図３】
2004219672.tif 000005
【図４】
2004219672.tif 000006
【図５】
2004219672.tif 000007
【図６】
2004219672.tif 000008
【図７】
2004219672.tif 000009
【図８】
2004219672.tif 000010
【図９】
2004219672.tif 000011
【図１０】
2004219672.tif 000012
【図１１】
2004219672.tif 000013